(57)【要約】【課題】新聞および別冊を製作するための技術上のコストを削減可能にする印刷機を提供する。【解決手段】本発明は新聞を製作するための印刷機およびその方法に関する。技術上のコストがかからない新聞および別冊を製作するために本印刷機では、コールドセットインキを用いて印刷されるウェブ(４,５,６)だけではなく、ヒートセットインキを用いて印刷されるウェブ(１２)からも冊子を製作することができる。ヒートセットインキを用いて製作された冊子を別冊へと加工することができる。【選択図】図１
2007131003.tif 000002
【特許請求の範囲】
【請求項１】
新聞を製作するための印刷機であって、
少なくとも１つの巻き出し機(１,２,３)であって、ウェブ(４,５,６)が、該巻き出し機から巻き出されることができ、印刷装置(１０)によってコールドセットインキを用いて印刷されることができ、かつ、少なくとも１つのフォーマ(１７,１８)および第１の折り装置(１５)によって、縦折りおよび横折りされた少なくとも１つの第１の冊子(２６,２７)へと加工可能になっている巻き出し機と、
少なくとも１つのさらなる巻き出し機(１１)であって、さらなるウェブ(１２)が、該巻き出し機から巻き出されることができ、印刷装置(１４)によってヒートセットインキを用いて印刷されることができ、乾燥器(２１)において乾燥可能であり、かつ、少なくとも１つのさらなるフォーマ(１９,２０)および第２の折り装置(１６)によって、縦折りおよび横折りされた少なくとも１つのさらなる冊子(３２,３３)へと加工可能になっており、該さらなる冊子(３２,３３)は、加工装置(２９)において別冊(３５,３６)へと加工可能になっている、さらなる巻き出し機と、を備えることを特徴とする印刷機。
【請求項２】
請求項１に記載の印刷機において、
ヒートセットインキで印刷する前記印刷装置(１４)は、コールドセットインキで印刷する前記印刷装置(１０)と同じ速度または異なる速度で処理可能になっていることを特徴とする印刷機。
【請求項３】
請求項１または請求項２に記載の印刷機において、
前記別冊(３５,３６)は、前記第１の冊子の中に折り込むことができるようになっていることを特徴とする印刷機。
【請求項４】
請求項１ないし請求項３のいずれか１項に記載の印刷機において、
縦置きの新聞紙ページ４枚分の幅の印刷機の場合、前記第１の折り装置(１５)には、２つのフォーマ(１７,１８)が対応させて設けられており、コールドセットインキを用いて印刷されるウェブ(４,５,６)から、縦折りおよび横折りされた前記第１の冊子および第２の冊子(２６,２７)を製作することができ、前記第２の冊子(２７)は、前記第１の冊子の中に載置されており、前記第２の折り装置(１６)には、２つのフォーマ(１９,２０)が対応させて設けられており、ヒートセットインキを用いて印刷されるウェブ(１２)から、縦折りおよび横折りされた合計で２つのさらなる冊子(３２,３３)を製作することができ、該さらなる冊子(３２,３３)は両方とも、前記加工装置(２９)内で別冊(３５,３６)へと加工可能であるとともに、前記第１の冊子(２６)内に折り込むことができるようになっていることを特徴とする印刷機。
【請求項５】
請求項１ないし請求項４のいずれか１項に記載の印刷機において、
コールドセットインキを用いて印刷される前記ウェブ(４,５,６)には、縦置きのブロードシートページ(４４)または横置きのタブロイドページ(４３)が印刷され、
ヒートセットインキを用いて印刷される前記さらなるウェブ(１２)には、横置きのタブロイドページが印刷されるようになっていることを特徴とする印刷機。
【請求項６】
請求項１ないし請求項５のいずれか１項に記載の印刷機において、
ページ数が互いに異なる第１の冊子および第２の冊子(２６,２７)を製作するために、前記第１の折り装置(１５)に対応させて設けられている前記フォーマ(１７,１８)を介して、ウェブ(４,５,６)および部分ウェブ(６.１)をガイドすることができるようになっていることを特徴とする印刷機。
【請求項７】
請求項１ないし請求項５のいずれか１項に記載の印刷機において、
ページ数が互いに異なる第１の冊子および第２の冊子(２６,２７)を製作するために、一方のフォーマ(１７,１８)を出た束(２２,２３,２３.２)を、前記第１の折り装置(１５)に進入させる前に、他方のフォーマ(１７,１８)を出たウェブ(２２,２３)上にガイドすることができるようになっていることを特徴とする印刷機。
【請求項８】
請求項１ないし請求項５のいずれか１項に記載の印刷機において、
ページ数が互いに異なる第１の冊子および第２の冊子(２６,２７)を製作するために、前記第１の折り装置(１５)の前記フォーマ(１７,１８)に供給可能な前記ウェブ(４,５,６)は、ウェブの束(３９,４０)へと断裁されることができ、該ウェブの束は、ターニングバー(４１,４２)によって上下に重ねて載置されることができるようになっていることを特徴とする印刷機。
【請求項９】
印刷機で新聞(３７)を製作するための方法であって、以下のステップ：
ａ)少なくとも１つのウェブ(４,５,６)にコールドセットインキを用いて印刷し、続いて、縦折りおよび横折りされた少なくとも１つの第１の冊子(２６,２７)を製作することと、
ｂ)前記ステップａ)と同時に、少なくともさらなるウェブ(１２)にヒートセットインキを用いて印刷し、続いて、前記さらなるウェブ(１２)を乾燥させ、その後、縦折りおよび横折りされた少なくとも１つのさらなる冊子(３２、３３)を製作することと、
ｃ)前記さらなる冊子(３２,３３)を第１の別冊(３５,３６)へと加工することと、
を含むことを特徴とする方法。
【請求項１０】
請求項９に記載の方法において、
ヒートセットインキを用いて印刷すべき前記ウェブ(１２)を、コールドセットインキを用いて印刷すべき前記ウェブ(４,５,６)と同じ速度または異なる速度で処理することを特徴とする方法。
【請求項１１】
請求項９または請求項１０に記載の方法において、
前記第１の別冊(３５,３６)を、前記第１の冊子(２６)内に折り込むことを特徴とする方法。
【請求項１２】
請求項９または請求項１０に記載の方法において、
コールドセットインキを用いて印刷されるウェブ(４,５,６)から、第１の冊子(２６)および縦折りおよび横折りされた第２の冊子(２７)を製作し、前記第２の冊子(２７)を、前記第１の冊子(２６)の中に載置し、ヒートセットインキを用いて印刷されるウェブ(１２)から、縦折りおよび横折りされた合計で２つのさらなる冊子(３２,３３)を製作し、該２つのさらなる冊子を両方とも別冊(３５,３６)へと加工し、かつ、前記第１の冊子(２６)の中に折り込むことを特徴とする方法。
【発明の詳細な説明】
【技術分野】
【０００１】
本発明は、印刷機であって、コールドセットインキを用いて少なくとも１つのウェブに印刷することができ、かつ、該ウェブを縦折りおよび横折りして冊子へと加工することができる印刷機と、新聞を製作するための方法とに関する。
【背景技術】
【０００２】
印刷タワー、すなわちいわゆる８カップル印刷タワー(Achterturm)内で、印刷装置によってコールドセットインキを用いてウェブに両面印刷することが、印刷機の分野で公知となっている。さらなる印刷タワーでは、印刷装置によってヒートセットインキを用いて別のウェブに両面印刷する。両ウェブは、フォーマによって縦折りされた後でひとつにまとめられ、折り装置によって縦折りおよび横折りされた新聞へと加工される。しかし、新聞および別冊(Magazine)はこのような方法では製作されない。これらの印刷機はたいてい、２ページ分の幅になっている。
【０００３】
新聞および別冊は、印刷機によって新聞を製作するようにして得られる。他の印刷機、すなわち、通常はイラストレーション印刷機(Illustrationsdruckmaschine)において、時間をずらして、いわゆるプレ印刷物としての冊子を印刷する。加工装置において、この冊子から折り込み用の別冊を製作する。別冊は通常、一週間に一度または一ヶ月に一度、新聞に付けられるものであり、この期間中に印刷される。このような製作方法の欠点は、高価な印刷機が複数必要になる、ということである。
【発明の開示】
【発明が解決しようとする課題】
【０００４】
本発明の課題は、新聞および別冊を製作するための技術上のコストを削減可能にする印刷機を提供することである。さらに、新聞を製作するための方法も提供する。
【課題を解決するための手段】
【０００５】
本発明によると、上記課題は独立請求項の特徴によって解決される。新聞に挟み込む冊子を製作するためにコールドセットインキを用いて１つまたは複数のウェブに印刷すること同時並行して、別冊を製作するためにヒートセットインキを用いて少なくとも１つのウェブに印刷することによって、折り込み用別冊を含む新聞の印刷と、別冊自体の印刷とを、印刷機での新聞の印刷と同時に行うことができるようになり、その際に印刷機のコストが低減される。当該印刷機および方法によって、新聞に付ける別冊を毎日発行することが可能になる。
【０００６】
さらなる特徴および利点は、本明細書とともに従属請求項より明らかになる。
【発明を実施するための最良の形態】
【０００７】
以下に、いくつかの実施例に基づいて本発明を詳細に説明する。
【０００８】
まず、図１に示す印刷機は、３つの巻き出し機１,２,３を備える。これら巻き出し機からそれぞれ、ウェブ４,５,６を巻き出すことができ、それぞれ印刷タワー７,８,９に供給することができる。印刷タワー７,８,９はそれぞれ、コールドセットインキを用いて加工する８つの印刷装置１０を備える。
【０００９】
さらなる巻き出し機１１から、さらなるウェブ１２を巻き出すことができ、このウェブ１２を印刷タワー１３に供給することができる。この印刷タワー１３は、ヒートセットインキを用いて加工する８つの印刷装置１４を備える。印刷タワー７,８,９および１３は、８つ未満の数の印刷装置１０または１４を備えていてもよい。
【００１０】
さらに、印刷機は、第１の折り装置１５および第２の折り装置１６を備える。ウェブ走行方向で見ると、第１の折り装置１５には、２つのフォーマ１７,１８が前置されており、また、第２の折り装置１６には、２つのフォーマ１９,２０が前置されている。第２の折り装置１６のフォーマ１９,２０は、いわゆるバルーンフォーマ(Ballontrichter)として、第１の折り装置１５のフォーマ１７,１８の上方に設けられていることが好ましい。フォーマ１７,１８を第２の折り装置１６に対応させて設けるとともにフォーマ１９,２０を第１の折り装置１５に対応させて設けることも可能である。また、折り装置１５,１６あたりのフォーマの数は例示的なものである。折り装置あたりのフォーマ数は少なくても多くてもよいし、それらフォーマを設置するためのさらなる階層領域(Ebenen)を設けてもよい。印刷機は、乾燥器２１と、冷却装置およびシリコーン装置等のヒートセット印刷用のさらなる従来型装置(図示せず)と、をさらに備える。
【００１１】
印刷タワー７,８,９の印刷装置１０は、たとえばオフセット印刷におけるＢＢ型方式(Gummi-Gummi-Prinzip)で対になって機能する。そして、印刷装置１０は、印刷装置１０間を通って導かれるウェブ４,５,６に両面印刷する。同様に、印刷タワー１３の印刷装置１４は対になって機能する。コールドセットインキとは、被印刷材料への浸透および自身の溶剤の揮発によって乾燥する印刷インキのことである。ヒートセットインキとは、熱の作用によって乾燥する印刷インキのことである。巻き出し機１によって巻き出されたウェブ４は、印刷タワー７内で４色両面印刷される。印刷機は、縦置きの新聞紙ページ４枚分の幅の輪転印刷機である。これに対応して、印刷装置１０の版胴は、隣接して配置されている４つの印刷版を備え得る。これら印刷版は、縦置きのブロードシート１枚分または上下に配置されている横置きのタブロイドシート２枚分の画線部を担持している。横置きのタブロイドシート２枚分の画線部は、印刷タワー７において、および、印刷タワー８および９において、ならびに印刷タワー１３の印刷装置１４において実現される。これに対応して、図６に示すように、印刷タワー７内で、ウェブ走行方向４５に対して横置きされているタブロイドページ４３がウェブ４に印刷される。同様に、印刷タワー８内でウェブ５に印刷し、印刷タワー９内でウェブ６に印刷する。３つのウェブ４,５,６はすべて、上下に重なった状態で第１の折り装置１５のフォーマ１７,１８に供給される(図２)。ウェブ４,５,６は、図２でｘの符号を付された箇所において縦方向断裁機によって縦方向に断裁され、続いて、フォーマ１７,１８を通って走行する際に縦折りされる。その際に、タブロイドページ２４枚から成る冊子を含む束２２,２３が形成される。冊子内のタブロイドページの数は、図２および以下に説明する図３ないし図５において数字で記載されている。束２２,２３は、綴じ装置２４,２５によって綴じられた後で(図２において綴じ部は点で示されている)上下に重ねられ、第１の折り装置１５に供給される。折り装置１５は、束を断裁して部とし、この部に対して横折りを行う。その結果、それぞれタブロイドページ２４枚から成る縦折りおよび横折りされた第１の冊子２６および第２の冊子２７が形成される(縦折り部分で断裁されている)。その際、第２の冊子２７は、第１の冊子２６の中に載置されている。第１の冊子２６および第２の冊子２７は、インペラを介して搬送ベルト２８または移送装置に排出される。綴じを行わない場合には、抱き合わせたまま製本して冊子２６＋２７とする。第１の折り装置１５は、公知のように、断裁胴、ピン付折りブレード胴(Punktur-Falzmesserzylinder)、およびくわえ胴(Falzklappenyzlinder)を備える。第１の冊子２６および第２の冊子２７は、プレ印刷物とは異なり通常の印刷物である。これら冊子は、搬送ベルト２８によって加工装置２９に移送される。
【００１２】
印刷タワー１３の印刷装置１４は、印刷装置１０と同様に、互いに隣接して配置された印刷版を備える。これら印刷版は、上下に設けられた横置きのタブロイドページ２枚を含む。したがって、図６に示すように、印刷タワー１３を通過する際に、さらなるウェブ１２には、ヒートセットインキでタブロイドページが印刷される。続いて、さらなるウェブ１２は、乾燥器２１を通過する際に乾燥され、その後、第２の折り装置１６のフォーマ１９,２０を通ってガイドされる。このようにガイドされるのに先立って、ウェブ１２は、ｘの符号が付された箇所において断裁装置によって縦方向に断裁される。フォーマ１９,２０を出た束３０,３１は、図示していない綴じ装置によって綴じられた後で、上下に重ねられた状態で第２の折り装置１６に供給される。これら束はそれぞれ、タブロイドページ８枚から成るさらなる冊子を含む。第２の折り装置１６において、束３０,３１を断裁して、横折りが施された部とする。その際に形成された互いに重なり合った状態になっているさらなる冊子３２,３３は、インペラを介して搬送バンド２４または移送装置に排出されて、加工装置２９に供給される。綴じを行わない場合には、重なり合わせた製本して冊子３２＋３３とする。
【００１３】
さらなる冊子３２および３３は、加工装置２９内で、分離されてそれぞれ１つの別冊３５,３６へと加工される。詳細には、さらなる冊子３２,３３に対して三方断裁(Dreiseitenschnitt)を行う。この三方断裁では、ページの回り三方が画線部のところまで断裁され、それにより、非印刷縁部(weisse Raender)が断ち落とされる。印刷面積を大きくしかつ断ち損じを低減するために、印刷の際には既に非印刷縁部が最小の大きさになっている。また、前側のくわえしろ(Vorfalz)は、わずかな寸法になっている。できるだけ大きな面積の印刷物を得るような努力がなされるが、その際、印刷物は、高さ対幅の比がいわゆる黄金比(２1/2)に可能な限り近くなっているとともに、高さ対幅の比が同様に黄金比に近くなっていることが好ましい新聞製品に対応している。同様に、印刷品質が高くかつ折りが正確であることは、外観の印象が良い別冊を得ることに寄与するとされている。
【００１４】
さらなる冊子３２,３３のうち、一方が通常の印刷物として製作され、他方がプレ印刷物として製作されることが好ましい。このために、印刷タワー１３は、同じ速度または異なる速度で、印刷タワー７,８,９と同時並行して運転される。高い印刷品質を達成するために、印刷タワー１３を低速で運転することができる。本発明の用途のすべてにおいて、ヒートセットインキを用いて印刷する印刷装置を、コールドセットインキを用いて印刷する印刷装置に依存してまたは該印刷装置とは無関係に運転することができる。得られる別冊３５,３６は第１の冊子２６内に差し込まれる。それに先立って、加工装置２９内で、第１の冊子２６および第２の冊子２７に対して一辺を断裁する加工(Einseitenschnitt)を施すことができる。この一辺を断裁する加工は、前側のくわえしろを有する辺を、約３ｍｍ内側に入ったところで平滑に断裁するものであり、その際に、断裁胴から出る、鋸刃状の裁ちしろが裁ち落とされる。完成した新聞３７は、加工装置２９から、たとえばパイル３８として排出される。完成した新聞３７を図８に図示する。同図において、冊子２６内に折り込まれた部、すなわち冊子２７および別冊３５および３６は、取り出された状態で図示されている。コールドセットインキで印刷される部はＣＳの符号で示されており、ヒートセットインキで印刷される部はＨＳの符号で示されている。通常の印刷物はＰの符号で示し、プレ印刷物はＶＰの符号で示してある。すべての印刷物２７,３５,３６は、互いに同列で隣り合った状態で(互いに入れ子状に差し込まれていない状態で)外側の冊子２６内にある、ということがよく分かる。
【００１５】
図３、図４および図５は、互いに異なるページ数を有する第１の冊子２６および第２の冊子２７を製作するための変更形態を示す。図３によると、第１の折り装置１５のフォーマ１７および１８には、ウェブおよび部分ウェブが供給される。詳細な点は図２の場合と同様に、ウェブ４および５は、タブロイドページが印刷され、縦方向に断裁された後で、フォーマ１７および１８を介してガイドされる。ウェブ６の代わりに、印刷されたタブロイドページ２枚分の幅のウェブ６.１だけがフォーマ１７を介してガイドされる。縦折りした後に得られる束２２.１および２３.１は、タブロイドページを２４枚または１６枚有する冊子を含む。図２に関して記載したのと同様に、綴じ装置２４および２５によって束２２.１および２３.１を綴じること、および折り装置１５での追加工が行われる。また、図２に関して既に記載したのと同様に、さらなるウェブ１２をフォーマ１９および２０を介してガイドすること、および第２の折り装置１６での追加工が行われる。
【００１６】
図４によると、図２の場合と同様に、両フォーマ１７および１８には、タブロイドページが印刷されたウェブ４,５および６が供給される。フォーマ１８を出た束２３から、部分束２３.２が、フォーマ１７を出た束２２上にガイドされる。これら束は、タブロイドページが２０枚の冊子とタブロイドページが２８枚の冊子とを含み、かつ、綴じ装置２４および２５によって綴じられ、図２と同様に加工される。さらなるウェブ１２をフォーマ１９および２０を介してガイドすること、および第２の折り装置１６での追加工は、図２に関して既に記載したのと同様に行われる。図５によると、タブロイドページが両面印刷されたウェブ４が、縦方向断裁装置によってウェブ束３９および４０へと断裁される。続いて、ウェブ束４０は、ターニングバー４１および４２(平行ターニングバー)を介してガイドされ、ウェブ束３９上に載置される。これによって、フォーマ１７を出た束２２.２に含まれる冊子内のタブロイドページの数は８枚分増加され、束２２.２に含まれる冊子はタブロイドページを１６枚有するようになる。
【００１７】
図６に示すように(ウェブ走行方向４５で見て)横置きのタブロイドページ４０を印刷する代わりに、図７で示すように、ウェブ走行方向４５で見て縦置きのブロードシートページ４４をウェブ４,５および６に両面印刷してもよい。この場合、図２ないし図４に示した綴じ装置２４および２５は存在しない。さらに、フォーマ１７および１８の中央でウェブ４,５および６を長手方向に断裁することも行われない。ここで、図２の場合に製作される第１の冊子２６および第２の冊子２７は、それぞれブロードシートページを１２枚有する。この場合、ウェブ４,５および６に印刷する印刷装置１０の版胴には、互いに隣接して配置されている４つの印刷版が張設されている。これら印刷版はそれぞれ、縦置きのブロードシートページを１枚有している。
【００１８】
本発明を、縦置きの新聞紙ページ４枚分の幅の印刷機を例にとって説明した。本発明は、縦置きの新聞紙ページ２枚分または６枚分の幅の印刷機にも同様に適用可能である。
【００１９】
製作された別冊３５,３６を、同時並行して印刷された新聞に折り込む必要はない。別冊を、他の用途のために供給、たとえば配分することができる。別冊の中には、別冊の場合には一般的である良好な印刷品質が達成されていない別冊に似た印刷物も含まれる。
【図面の簡単な説明】
【００２０】
【図１】印刷機を示す図である。
【図２】後続の加工装置とともに図１のII‐II断面を示す図である。
【図３】部分ウェブをフォーマに供給する様子を示す図である。
【図４】フォーマを出た束が別のフォーマを出た束の上に供給される様子を示す図である。
【図５】ウェブの束を別の束に移送する様子を示す図である。
【図６】図１のVI方向から見た図である。
【図７】ウェブにブロードシートを印刷する、図６の代替形態を示す図である。
【図８】２つの冊子および２つの別冊から成る新聞を互いに分離した状態で示した図である。
【符号の説明】
【００２１】
１〜３  巻き出し機
４〜６  ウェブ
６.１  部分ウェブ
７〜９  印刷タワー
１０  印刷装置
１１  さらなる巻き出し機
１２  さらなるウェブ
１３  印刷タワー
１４  印刷装置
１５  第１の折り装置
１６  第２の折り装置
１７〜２０  フォーマ
２１  乾燥器
２２,２２.１,２２.２  束
２３,２３.１,２３.２  束
２４,２５  綴じ装置
２６  第１の冊子
２７  第２の冊子
２８  搬送ベルト
２９  加工装置
３０,３１  束
３２,３３  さらなる冊子
３４  搬送ベルト
３５,３６  別冊
３７  新聞
３８  パイル
３９,４０  ウェブ束
４１,４２  ターニングバー
４３  タブロイドページ
４４  ブロードシートページ
４５  ウェブ走行方向
Ｐ  通常の印刷物
ＶＳ  プレ印刷物
ＣＳ  コールドセット
ＨＳ  ヒートセット
【図１】
2007131003.tif 000003
【図２】
2007131003.tif 000004
【図３】
2007131003.tif 000005
【図４】
2007131003.tif 000006
【図５】
2007131003.tif 000007
【図６】
2007131003.tif 000008
【図７】
2007131003.tif 000009
【図８】
2007131003.tif 000010